(57)【要約】      （修正有）【課題】消火設備の放水を停止する制御弁を設置した制御弁室を迅速且つ確実に把握して閉止操作による放水停止を可能とする。【解決手段】地図表示装置４０は、地図パネル４８上に、ヘッドを設置した防護区画Ａ１〜Ａ６及び制御弁を配置した制御弁室Ｂ１〜Ｂ６を区分けした警戒区域の一覧地図を示し、防護区画Ａ１〜Ａ６毎に放水シンボルを選択的に表示可能とすると共に制御弁室Ｂ１〜Ｂ６毎に弁室シンボル６２を選択的に表示可能とする。地図表示装置４０の制御部は、ヘッドからの放水を検知した場合に、一覧地図の中の放水した例えば防護区画Ａ１に放水シンボル６０を表示させると共に放水した防護区画Ａ１に対応した制御弁室Ｂ１に弁室シンボル６２を表示させる。【選択図】図２
2015167600.tif 000002
【特許請求の範囲】
【請求項１】
警戒区域に設置したヘッドを接続した配管に、ヘッドからの放水を検知して流水検知信号を出力する流水検知装置を設けると共に前記流水検知装置の１次側に開閉操作可能な制御弁を設け、前記流水検知装置毎に区分された前記ヘッドの配置領域を防護区画とし、前記流水検知装置及び前記制御弁を各防護区画に対応した制御弁室に設置した消火設備の地図表示装置に於いて、
前記防護区画及び前記制御弁室を区分け表示した前記警戒区域の一覧地図を表示し、前記防護区画毎に放水シンボルを選択的に表示可能とすると共に前記制御弁室毎に弁室シンボルを選択的に表示可能とする地図表示手段と、
前記ヘッドからの放水を検知した場合に、前記一覧地図の中の放水した防護区画に前記放水シンボルを表示させると共に前記放水した防護区画に対応した前記一覧地図の中の制御弁室に前記弁室シンボルを表示させる制御手段と、
を設けたことを特徴とする消火設備の地図表示装置。
【請求項２】
請求項１記載の消火設備の地図表示装置に於いて、前記制御手段は、前記流水検知装置からの流水検知信号を受信してから所定時間を経過した場合、前記地図表示手段を制御して、前記一覧地図の中の放水した防護区画に対応した制御弁室に前記弁室シンボルを表示させることを特徴とする消火設備の地図表示装置。
【請求項３】
請求項１記載の消火設備の地図表示装置に於いて、前記制御手段は、前記流水検知装置の２次側に設けた減圧検出器からの減圧検出信号を受信した場合、前記地図表示手段を制御して、前記一覧地図の中の放水した防護区画に対応した制御弁室に前記弁室シンボルを表示させることを特徴とする消火設備の地図表示装置。
【請求項４】
請求項１記載の消火設備の地図表示装置に於いて、前記制御手段は、前記ヘッドの放水に対応した防護区画に設けた火災感知器からの火災信号の受信を検出してない場合に、前記地図表示手段を制御して、前記一覧地図の中の放水した防護区画に対応した制御弁室に前記弁室シンボルを表示させることを特徴とする消火設備の地図表示装置。
【請求項５】
請求項１記載の消火設備の地図表示装置に於いて、前記制御手段は、スイッチ操作による制御弁室表示指示の受付けを検知した場合に、前記地図表示手段を制御して、前記ヘッドの放水に対応した前記一覧地図の中の防護区画に対応した制御弁室に前記弁室シンボルを表示させることを特徴とする消火設備の地図表示装置。
【請求項６】
請求項１記載の消火設備の地図表示装置に於いて、前記制御手段は、前記地図表示手段を制御して、前記一覧地図の中の放水した防護区画に前記放水シンボルを表示すると共に前記放水した防護区画に対応した制御弁室に前記弁室シンボルを表示した場合に、前記放水シンボルと前記弁室シンボルとの連携を示す表示を行うことを特徴とする消火設備の地図表示装置。
【請求項７】
請求項１記載の消火設備の地図表示装置に於いて、前記制御弁室に鍵付き扉を設置して施錠している場合、前記制御手段は、前記地図表示手段を制御して、前記弁室シンボルとして鍵付き扉を示すシンボルを表示させることを特徴とする消火設備の地図表示装置。
【請求項８】
請求項１記載の消火設備の地図表示装置に於いて、
前記地図表示手段は、
前記警戒区域一覧地図を描画した地図パネルと、
前記地図パネルの前記防護区画毎に放水シンボルを表示可能とする放水区画表示灯と、
前記地図パネルの前記制御弁室毎に弁室シンボルを表示可能とする制御弁室表示灯と、
を備え、
前記制御手段は、前記ヘッドからの放水を検知した場合に、前記放水区画表示灯を駆動して前記地図パネルの中の放水した防護区画に前記放水シンボルを表示させると共に、前記制御弁室表示灯を駆動して前記放水した防護区画に対応した制御弁室に前記弁室シンボルを表示させることを特徴とする消火設備の地図表示装置。
【請求項９】
請求項１記載の消火設備の地図表示装置に於いて、
前記地図表示手段は、前記警戒区域の一覧地図を表示した液晶表示パネルであり、
前記制御手段は、前記ヘッドからの放水を検知した場合に、前記液晶表示パネルを駆動して、前記一覧地図の中の放水した防護区画に前記放水シンボルを表示させると共に前記放水した防護区画に対応した前記一覧地図の中の制御弁室に前記弁室シンボルを表示させることを特徴とする消火設備の地図表示装置。
【請求項１０】
請求項１記載の消火設備の地図表示装置に於いて、前記制御弁室に鍵付き扉を設置して施錠している場合、前記制御手段は、前記地図表示手段を制御して、前記弁室シンボルとして鍵付き扉を示すシンボルを表示させると共に、セキュリティーシステムに開錠指示信号を送出して、対象となる制御弁室を開錠させることを特徴とする消火設備の地図表示装置。
【発明の詳細な説明】
【技術分野】
【０００１】
本発明は、スプリンクラー消火設備や泡消火設備等で火災によりヘッドから放水した区画等を警戒区域の一覧地図に表示する消火設備の地図表示装置に関する。
【背景技術】
【０００２】
従来、スプリンクラー設備は、加圧給水設備からの配管を制御弁及び流水検知装置を介して警戒区域に設置した閉鎖型スプリンクラーヘッドに接続し、火災による熱気流を受けて開放作動した開放型スプリンクラーヘッドから放水することで、消火を開始する（特許文献１）。
【０００３】
また、泡消火設備にあっては、泡消火剤供給設備からの配管を制御弁及び流水検知装置を介して警戒区域に設置した一斉開放弁に接続し、更に一斉開放弁の２次側の配管を泡ヘッドに接続すると共に感知配管を感知ヘッドに接続し、感知ヘッドの作動に伴う一斉開放弁の開放により泡消火剤を泡ヘッドに供給して放出することで、消火を開始する（特許文献２）。
【０００４】
このような消火設備にあっては、警戒区域に設置したヘッド毎ではなく、ヘッドの一次側に設置される流水検知装置毎に区分された領域を防護区画として扱うことで、監視や制御を行っている。
【０００５】
スプリンクラー消火設備または泡消火設備が消火を開始した場合、スプリンクラー消火設備は２０分間、泡消火設備は１０分間の放水を行う水源を確保しているが、通常の火災ではその時間に満たない聞に消火を終えることが多い。
【０００６】
このように水源を確保している時間内に消火を終えて放水を停止したい場合、防火管理者または防災センターのスタッフ或いは消防隊員は、火災現場で消火を確認した後に、流水検知装置の一次側に防護区画毎に設けられた制御弁を閉止操作することによって、放水を停止することができる。
【０００７】
また、地震等が発生して、火災でなく消火配管の損傷によって誤放水している場合にも、制御弁を閉止操作することによって、放水を停止することができる。
【０００８】
このような消火設備の放水停止に使用する制御弁は、建物内の防護区画に近い専用の部屋に設置されており、この部屋の扉には「スプリンクラー制御弁室」が表示されている。
【０００９】
一方、防災センターの総合操作盤や警戒区域に設置した地図表示装置等の表示画面には、消火設備で消火を開始した場合、ヘッドが作動した防護区画を警戒区域の一覧地図の中に表示するようにしている。
【先行技術文献】
【特許文献】
【００１０】
【特許文献１】特開２００１−０００５７４号公報
【特許文献２】特開２０１２−０９５８９７号公報
【発明の概要】
【発明が解決しようとする課題】
【００１１】
しかしながら、防火管理者や防災センターのスタッフが火災現場で消火を確認して放水を停止しようとした場合、防災センターの総合操作盤や警戒区域に設置した地図表示装置等の表示画面には制御弁室が示されておらず、別途備え付けの冊子等で確認する必要があり、制御弁室の場所を知るまでに手間と時間がかかる。
【００１２】
この場合、消火設備の定期的な消防検査は外部の消防設備士が実施しているため、防火管理者や防災センターのスタッフが制御弁室となっている部屋の所在を把握していることは少ない。
【００１３】
また制御弁室は、日常用途の部屋ではないため、建築上、最も狭室でアプローチしづらい場所、例えばトイレの中や、日常の動線に触れない箇所に設けられており、冊子等を調べて制御弁室の場所がわかっても、その場所を速やかに探し出すことができず、制御弁室に行き着くまでに時間がかかる場合がある。
【００１４】
更に、制御弁室は、一般利用者が誤って入室しないよう施錠されている場合があり、施錠されていることは制御弁室まで行かないと気付かない場合があり、管理している鍵を探し、施錠を解除して部屋に入るまでに手間と時間がかかる場合がある。
【００１５】
そのため、ヘッドからの放水を停止するために制御弁を閉止したくても、制御弁室の所在が分かりづらく、制御弁の停止作業に多くの時間がかかる。また、制御弁を閉止して放水を停止するまでに水源を全て消費してしまい、水損が発生したり、消火後に再び火災となったような場合に消火設備を正常に作動させることができないといった問題がある。
【００１６】
本発明は、消火設備の放水を停止する制御弁を設置した制御弁室を迅速且つ確実に把握して閉止操作による放水停止を可能とする消火設備の地図表示装置を提供することを目的とする。
【課題を解決するための手段】
【００１７】
（消火設備の地図表示装置）
本発明は、警戒区域に設置したヘッドを接続した配管に、ヘッドからの放水を検知して流水検知信号を出力する流水検知装置を設けると共に流水検知装置の１次側に開閉操作可能な制御弁を設け、流水検知装置毎に区分されたヘッドの配置領域を防護区画とし、流水検知装置及び制御弁を各防護区画に対応した制御弁室に設置した消火設備の地図表示装置に於いて、
防護区画及び制御弁室を区分け表示した警戒区域の一覧地図を表示し、防護区画毎に放水シンボルを選択的に表示可能とすると共に制御弁室毎に弁室シンボルを選択的に表示可能とする地図表示手段と、
ヘッドからの放水を検知した場合に、一覧地図の中の放水した防護区画に放水シンボルを表示させると共に放水した防護区画に対応した一覧地図の中の制御弁室に弁室シンボルを表示させる制御手段と、
を設けたことを特徴とする。
【００１８】
（流水検知により制御弁室を遅延表示）
制御手段は、流水検知装置からの流水検知信号を受信してから所定時間を経過した場合、地図表示手段を制御して、一覧地図の中の放水した防護区画に対応した制御弁室に弁室シンボルを表示させる。
【００１９】
（２次圧力の減圧検出により制御弁室を表示）
制御手段は、流水検知装置の２次側に設けた減圧検出器からの減圧検出信号を受信した場合、地図表示手段を制御して、一覧地図の中の放水した防護区画に対応した制御弁室に弁室シンボルを表示させる。
【００２０】
（火災検知がない場合に制御弁室を表示）
制御手段は、流水検知装置からの流水検知信号の受信を検出し、且つ、ヘッドの放水に対応した防護区画に設けた火災感知器からの火災信号の受信を検出してない場合に、地図表示手段を制御して、一覧地図の中の放水した防護区画に対応した制御弁室に弁室シンボルを表示させる。
【００２１】
（スイッチ操作による制御弁室の表示）
制御手段は、スイッチ操作による制御弁室表示指示の受付けを検知した場合に、地図表示手段を制御して、ヘッドの放水に対応した一覧地図の中の防護区画に対応した制御弁室に弁室シンボルを表示させる。
【００２２】
（放水シンボルと弁室シンボルの連携表示）
制御手段は、地図表示手段を制御して、一覧地図の中の放水した防護区画に放水シンボルを表示すると共に放水した防護区画に対応した制御弁室に弁室シンボルを表示した場合に、放水シンボルと弁室シンボルとの連携を示す表示を行う。
【００２３】
（鍵付き扉を示す弁室シンボル）
制御弁室に鍵付き扉を設置している場合、制御手段は、地図表示手段を制御して、弁室シンボルとして鍵付き扉を示すシンボルを表示させる。
【００２４】
（地図パネルを用いた地図表示）
地図表示手段は、
警戒区域の一覧地図を描画した地図パネルと、
地図パネルの防護区画毎に放水シンボルを表示可能とする放水区画表示灯と、
地図パネルの制御弁室毎に弁室シンボルを表示可能とする制御弁室表示灯と、
を備え、
制御手段は、ヘッドからの放水を検知した場合に、放水区画表示灯を駆動して地図パネルの中の放水した防護区画に放水シンボルを表示させると共に、制御弁室表示灯を駆動して放水した防護区画に対応した制御弁室に弁室シンボルを表示させる。
【００２５】
（液晶表示パネルを用いた地図表示）
地図表示手段は、警戒区域の一覧地図を表示した液晶表示パネルであり、
制御手段は、ヘッドからの放水を検知した場合に、液晶表示パネルを駆動して、一覧地図の中の放水した防護区画に放水シンボルを表示させると共に放水した防護区画に対応した一覧地図の中の制御弁室に弁室シンボルを表示させる。
【００２６】
（セキュリティーシステムと連携）
制御弁室に鍵付き扉を設置して施錠している場合、制御手段は、地図表示手段を制御して、弁室シンボルとして鍵付き扉を示すシンボルを表示させると共に、セキュリティーシステムに開錠指示信号を送出して、対象となる制御弁室を開錠させる。
【発明の効果】
【００２７】
（基本的な効果）
本発明による消火設備の地図表示装置は、地図表示手段により、防護区画及び制御弁室を区分け表示した警戒区域の一覧地図を表示し、防護区画毎に放水シンボルを選択的に表示可能とすると共に制御弁室毎に弁室シンボルを選択的に表示可能とし、制御手段でヘッドからの放水を検知した場合に、地図表示手段を制御して、一覧地図の中の放水した防護区画に放水シンボルを表示させると共に放水した防護区画に対応した一覧地図の中の制御弁室に弁室シンボルを表示させるようにしたため、警戒区域の一覧地図の中に、消火を開始した防護区画のシンボル表示に対応した制御弁室を示すシンボル表示を見ることで、制御弁を設置している制御弁室の建物内における所在を簡単且つ容易に把握することが可能となり、制御弁室に出向いて制御弁を閉止操作することによって速やかに放水を停止し、水損や水源の不必要な消費を抑制し、鎮火後に再び火災となったような場合に消火設備を正常に作動させることを可能とする。
【００２８】
（流水検知により制御弁室を遅延表示する効果）
また、制御手段は、流水検知装置からの流水検知信号を受信してから所定時間を経過した場合、地図表示手段を制御して、一覧地図の中の放水した防護区画に対応した制御弁室に弁室シンボルを表示させるようにしたため、消火設備のヘッド放水により消火を開始した場合は、制御弁の閉止操作による放水の停止は必要ないことから制御弁室のシンボル表示は行わず、所定時間を経過してヘッドから実際に放水している状態で、放水している防護区画に対応した制御弁室を示すシンボル表示を行ってその場所を示すことを可能とする。
【００２９】
（２次圧力の減圧検出により制御弁室を表示）
また、制御手段は、流水検知装置の２次側に設けた減圧検出器からの減圧検出信号を受信した場合、地図表示手段を制御して、一覧地図の中の放水した防護区画に対応した制御弁室に弁室シンボル表示させるようにしたため、ヘッドから放水が行われると配管内の圧力が低下することから、これによりヘッドから実際に放水している状態で、放水している防護区画に対応した制御弁室を示すシンボル表示を行ってその場所を示すことを可能とする。
【００３０】
（火災検知がない場合に制御弁室を表示）
また、制御手段は、ヘッドの放水に対応した防護区画に設けた火災感知器からの火災信号の受信を検出してない場合に、地図表示手段を制御して、一覧地図の中の放水した防護区画に対応した制御弁室に弁室シンボルを表示させるようにしたため、火災信号を受信している場合は放水を停止する必要がないことから、閉止操作により放水を停止する制御弁室を示す表示は行わず、消火により火災信号が受信されなくなって放水停止が必要となった段階で制御弁室を示すシンボル表示を行うことを可能とする。また、誤動作等により放水した場合など放水停止を行う必要がある場合に制御弁室を示すシンボル表示を行うことを可能とする。
【００３１】
（スイッチ操作による制御弁室の表示）
また、制御手段は、スイッチ操作による制御弁室表示指示の受付けを検知した場合に、地図表示手段を制御して、ヘッドの放水に対応した一覧地図の中の防護区画に対応した制御弁室に弁室シンボルを表示させるようにしたため、消火設備により放水を開始している防護区画をシンボル表示している状態で、地図表示装置に設けているスイッチを操作することで、放水している防護区画に対応した制御弁室を示すシンボル表示を行うことを可能とする。
【００３２】
（放水シンボルと弁室シンボルの連携表示による効果）
また、制御手段は、地図表示手段を制御して、一覧地図の中の放水した防護区画に放水シンボルを表示すると共に放水した防護区画に対応した制御弁室に弁室シンボルを表示した場合に、放水シンボルと弁室シンボルとの連携を示す表示を行うようにしたため、放水を開始した防護区画とこれに対応した制御弁室との連携関係が例えば両者のシンボルをライン表示で連結する等し、これにより放水している防護区画とその放水を停止操作する制御弁室の関係を明確に表示し、例えば地震等が発生して、消火配管の損傷によって同一フロワで複数の防護区画が誤放水しているような場合、各防護区画に対応した制御弁室の場所を正確に把握して制御弁の閉止操作を行うことを可能とする。
【００３３】
（鍵付き扉を示す弁室シンボルによる効果）
また、制御弁室に鍵付き扉を設置して施錠している場合、制御手段は、地図表示手段を制御して、弁室シンボルとして鍵付き扉を示すシンボルを表示させるようにしたため、制御弁室を示す弁室シンボルを見ることで、制御弁室の扉を施錠していることが分かり、管理している鍵を持参することで、施錠している制御弁室の扉を開けて制御弁の閉止操作による放水停止を速やかに行うことを可能とする。
【００３４】
（地図パネルを用いた地図表示による効果）
地図表示手段は、警戒区域一覧地図を描画した地図パネルと、地図パネルの防護区画毎に放水シンボルを表示可能とする放水区画表示灯と、地図パネルの制御弁室毎に弁室シンボルを表示可能とする制御弁室表示灯とを備え、制御手段は、ヘッドからの放水を検知した場合に、放水区画表示灯を駆動して地図パネルの中の放水した防護区画に放水シンボルを表示させると共に、制御弁室表示灯を駆動して放水した防護区画に対応した制御弁室に弁室シンボルを表示させるようにしたため、比較的簡単な構造で、警戒区域を示す一覧地図の中の放水した防護区画とこれに対応した制御弁室を示すシンボル表示を行うことを可能とする。
【００３５】
（液晶表示パネルを用いた地図表示による効果）
また、地図表示手段は、警戒区域の一覧地図を表示した液晶表示パネルであり、制御手段は、ヘッドからの放水を検知した場合に、液晶表示パネルを駆動して、一覧地図の中の放水した防護区画に記放水シンボルを表示させると共に放水した防護区画に対応した一覧地図の中の制御弁室に弁室シンボルを表示させるようにしたため、防護区画と制御弁室の区分け表示を含む表示データを準備することで、一覧地図の中に放水した防護区画とこれに対応した制御弁室を示すシンボル表示を簡単且つ柔軟に行うことができる。
【００３６】
（セキュリティーシステムと連携による効果）
また、制御弁室に鍵付き扉を設置して施錠している場合、制御手段は、地図表示手段を制御して、弁室シンボルとして鍵付き扉を示すシンボルを表示させると共に、セキュリティーシステムに開錠指示信号を送出して、対象となる制御弁室を開錠させるようにしたため、施錠している制御弁室であっても、セキュリティーシステムとの連携により自動的に対象となる制御弁室の扉が開錠され、鍵を管理したり鍵を持参したりすることなく、制御弁室に入って制御弁を閉止操作することを可能とする。
【図面の簡単な説明】
【００３７】
【図１】スプリンクラー消火設備の概略を示した説明図
【図２】地図パネルを用いた地図表示装置の外観を示した説明図
【図３】図２の地図表示装置における放水中の防護区画とその制御弁室のシンボル表示の一例を示した説明図
【図４】図２の地図表示装置で表示する制御弁室を示す弁室シンボルを示した説明図
【図５】図２の地図表示盤の機能構成をスプリンクラー制御盤と共に示したブロック図
【図６】図４の地図表示装置に設けた制御部の機能構成の一例を示したブロック図
【図７】図４の地図表示装置に設けた制御部の機能構成の他の例を示したブロック図
【図８】液晶表示パネルを用いた地図表示装置の外観を示した説明図
【図９】ヘッド配管の減圧を検出して放水を開始した防護区画と制御弁室をシンボル表示するスプリンクラー消火設備の概略を示した説明図
【図１０】図９に設けた地図表示盤の機能構成をスプリンクラー制御盤と共に示したブロック図
【図１１】図１０の地図表示装置に設けた制御部の機能構成の一例を示したブロック図
【図１２】図１０の地図表示装置に設けた制御部の機能構成の他の例を示したブロック図
【図１３】セキュリティーシステムと連携する地図表示盤の機能構成を示したブロック図
【発明を実施するための形態】
【００３８】
［スプリンクラー消火設備の概要］
図１は、本発明の消火設備の一例として、２次側配管に加圧消火用水を充水したスプリンクラー消火設備の概要を示した説明図である。
【００３９】
図１に示すように、建物の地下階などのポンプ室には加圧送水設備として機能する消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００４０】
消火ポンプ１０に対しては起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下する減圧を検出してポンプ制御盤１４に減圧検出信号を出力し、これによってモータ１２を駆動して消火ポンプ１０を起動する。
【００４１】
給水本管１６からは建物の防護区画毎に分岐管２２を引き出している。分岐管２２の分岐部分には制御弁２５と流水検知装置２４を設けている。制御弁２５は開閉操作可能であり、定常監視状態で開放している。流水検知装置２４は１次側から２次側への流水で作動する弁部材を備え、この弁部材の開放により弁座のポートを開いて導入される圧力を検知して流水検知信号を出力する流水検知器４２を備えている。
【００４２】
制御弁２５と流水検知装置２４は建物内に設けた制御弁室Ｂ１に配置しており、制御弁室Ｂ１はその扉に「スプリンクラー制御弁室」を表示し、また、必要に応じて施錠している場合がある。
【００４３】
流水検知装置２４に対応して区分された警戒領域の区画は防護区画Ａ１としており、流水検知装置２４の２次側から防護区画Ａ１に引き出した分岐管２２に閉鎖型のスプリンクラーヘッド２６を接続している。またスプリンクラーヘッド２６を設置した防護区画Ａ１には火災感知器３６を設置し、火災感知器３６からの感知器線を、自火報受信機３５を介してスプリンクラー制御盤３４に接続している。
【００４４】
分岐管２２の末端側には末端試験弁２８を設け、その２次側を、オリフィス３０を介して排水管３２に接続している。流水検知装置２４のスプリンクラーヘッド２６を接続した２次側配管には規定圧力となる加圧消火用水を充水している。
【００４５】
また、スプリンクラー消火設備を設置した建物の例えば監視センターや各フロアの共用部等には地図表示装置４０を設置している。地図表示装置４０は、地図パネルに防護区画及び制御弁室を区分け表示した警戒区域の一覧地図を表示しており、スプリンクラー制御盤３４を経由して閉鎖型スプリンクラーヘッド２６の作動に流水検知信号を受信した場合、放水した防護区画に放水シンボルを表示して示し、また放水した防護区画に対応した制御弁室に弁室シンボルを表示して制御弁室の所在を示す。
【００４６】
［地図表示装置の構成］
（地図表示装置の概要）
図２は地図パネルを用いた地図表示装置の外観を示した説明図、図３は図２の地図表示装置における放水中の防護区画とその制御弁室のシンボル表示の一例を示した説明図である。
【００４７】
図２に示すように、地図表示装置４０は、地図表示手段として機能する地図パネル４８を前面に設けており、地図パネル４８には警戒区域となる建物の一覧地図を描画している。本実施形態の地図パネル４８は、３階建ての建物を対象としており、一覧地図として、１階から３階までの各階に分けてフロア平面図を描いており、フロア平面図は流水検知装置に対応した防護区画Ａ１〜Ａ６及びそれぞれに対応して設けた制御弁室Ｂ１〜Ｂ６を区分けして表示している。なお、以下の説明では、任意の防護区画をＡｉまたこれに対応した制御弁室をＢｉとして説明する場合がある。
【００４８】
地図パネル４８に区分け表示した防護区画Ａ１〜Ａ６の各々には、閉鎖型スプリンクラーヘッドからの放水を示す透光性の放水シンボル６０を設けており、放水シンボル６０を設けたパネル裏面には点線で示すようにＬＥＤを用いた放水区画表示灯６５を配置し、放水区画表示灯６５を点灯駆動することで、放水シンボル６０を背光照明により視認可能に表示する。
【００４９】
また、地図パネル４８に区分け表示した制御弁室Ｂ１〜Ｂ６の各々には、制御弁室の所在を示す透光性の弁室シンボル６２を設けており、弁室シンボル６２を設けたパネル裏面には点線で示すようにＬＥＤを用いた制御弁室表示灯６６を配置し、制御弁室表示灯６６を点灯駆動することで、弁室シンボル６２を背光照明により視認可能に表示する。
【００５０】
また、地図パネル４８に区分け表示した防護区画Ａ１〜Ａ６とそれぞれに対応した弁室シンボルＢ１〜Ｂ６との間には、両者の連携関係を示す連携ライン６４を設けており、放水区画表示灯６５と制御弁室表示灯６６を点灯駆動することで、連携ライン６４を背光照明により視認可能に表示する。なお、連携ライン６４を背光照明する専用の表示灯をパネル裏面に配置しても良い。
【００５１】
更に、地図パネル４８の例えば左下には弁室表示スイッチ７０を設けている。弁室表示スイッチ７０は、防護区画Ａ１〜Ａ６のいずれかの放水シンボル６０を照明表示している状態で押圧操作すると、照明表示している放水シンボル６０に対応した弁室シンボル６２を照明表示してその位置を確認可能とする。
【００５２】
なお、弁室表示スイッチ７０は防護区画Ａ１〜Ａ６の全ての放水シンボル６０を照明表示していない状態で押圧操作すると、制御弁室Ｂ１〜Ｂ６の全ての弁室シンボル６２を照明表示してその位置を確認可能とするようにしても良い。
【００５３】
図３は３階の防護区画Ａ１で火災が発生して放水した場合のシンボル表示の一例であり、地図パネル４８の防護区画Ａ１の背後に設けた図２に示した放水区画表示灯６５を点灯駆動することで防護区画Ａ１の中に放水シンボル６０を照明表示し、また放水している防護区画Ａ１に対応した制御弁室Ｂ１の背後に設けた図２に示した制御弁室表示灯６６を点灯駆動することで制御弁室Ｂ１の中に弁室シンボル６２を照明表示し、更に、放水区画表示灯６５と制御弁室表示灯６６の点灯駆動に伴い連携ライン６４も照明表示し、防護区画Ａ１と制御弁室Ｂ１の連携関係を表示する。
【００５４】
（弁室シンボル）
図４は図２の地図表示装置で表示する制御弁室を示す弁室シンボルを示した説明図である。図４（Ａ）は制御弁室の扉に施錠していない場合の弁室シンボル６２であり、例えばリング状に縁取りした円形のシンボル形状としている。
【００５５】
図４（Ｂ）は制御弁室の扉に施錠している場合の弁室シンボル６２であり、リング状に縁取り円形の内部に鍵の形状をもつ鍵マーク６８を配置している。この鍵マーク６８を配置した弁室シンボル６２を、図２の表示パネル４８における制御弁室Ｂ１〜Ｂ６の中の扉を施錠している弁室シンボル６２として設けて照明表示することで、制御弁２５を閉止操作しようとする担当者は、その制御弁室の扉が施錠されていることを知り、管理している鍵を持参して対処することが可能となる。
【００５６】
（地図表示装置の機能構成）
図５は図２の地図表示装置の機能構成をスプリンクラー制御盤と共に示したブロック図である。図５に示すように、地図表示装置４０は、制御部５０、区画受信部５２、地図パネルの防護区画Ａ１〜Ａｎ毎に設けた放水区画表示灯６５、地図パネルの制御弁室Ｂ１〜Ｂｎ毎に設けた制御弁室表示灯６６、弁室表示スイッチ７０を備える。
【００５７】
地図表示装置４０の制御部５０は制御手段として機能し、例えばプログラムの実行により実現される機能であり、ハードウェアとしてはＣＰＵ、メモリ、各種の入出力ポート等を備えたコンピュータ回路等を使用する。
【００５８】
制御部５０に対しては、防護区画Ａ１〜Ａｎの各々に設けた流水検知装置２４の流水検知器４２からの流水検知信号を区画受信部５２を介して入力可能としている。なお、火災感知器３６は流水検知装置２４に対応した防護区画Ａ１〜Ａｎに設置しているが、説明の都合上、流水検知装置２４の中に示している。
【００５９】
制御部５０は、火災により防護区画Ａｉの閉鎖型スプリンクラーヘッドが作動して放水を開始した場合、流水検知装置２４に設けた流水検知器４２からの流水検知信号の受信を検知すると、即ちヘッドからの放水を検知すると、図２の地図パネル４８の対応する防護区画Ａｉに設けた放水区画表示灯６５を点灯して放水シンボル６０を照明表示すると共に、放水した防護区画Ａｉに対応した図２の地図パネル４８の制御弁室Ｂｉに設けた制御弁室表示灯６６を点灯して弁室シンボル６２を照明表示する。
【００６０】
ここで、制御部５０による弁室シンボル６２の表示制御には、次の制御モード１と制御モード２がある。
【００６１】
（制御モード１）
制御部５０による制御モード１の制御は、流水検知装置２４からの流水検知信号を受信してから所定時間を経過した場合、制御弁室表示灯６６を点灯駆動して一覧地図の中の放水した防護区画Ａｉに対応した制御弁室Ｂｉに弁室シンボル６２を表示させる制御を行う。
【００６２】
図６は図５の地図表示装置に設けた制御部５０による制御モード１の制御を実現するための機能構成の一例を１つの防護区画について論理回路により示したブロック図である。
【００６３】
図６に示すように、制御部５０は、ドライバ７２，８０、遅延部７４、アンド回路７６、及びオア回路７８を設けている。流水検知器４２で流水を検知した場合にＨレベルとなる流水検知信号Ｅ１はドライバ７２に入力し、ドライバ７２の出力により放水区画表示灯６５を点灯駆動する。
【００６４】
また、Ｈレベルとなる流水検知信号Ｅ１は遅延部７４に入力し、所定の遅延時間を経過した後に出力してオア回路７８を介してドライバ８０に入力し、ドライバ８０の出力により制御弁室表示灯６６を点灯駆動する。
【００６５】
このため閉鎖型スプリンクラーヘッドの作動による放水で消火を開始した場合は、制御弁２５の閉止操作による放水の停止は必要ないことから地図表示装置４０での制御弁室を示す弁室シンボル６２の照明表示は行わず、遅延部７４の遅延時間で決まる所定時間を経過して作動したスプリンクラーヘッドからの実際に放水している状態となってから、放水している防護区画に対応した制御弁室を示す弁室シンボル６２の照明表示を行ってその場所を示すことを可能とする。
【００６６】
また、制御部５０は、流水検知信号Ｅ１と弁室表示スイッチ７０のスイッチ信号Ｅｓをアンド回路７６に入力しており、Ｈレベルとなる流水検知信号Ｅ１が入力している状態で弁室表示スイッチ７０をオン操作してスイッチ信号ＥｓがＨレベルになると、アンド回路７６の出力がＨレベルとなってオア回路７８を介してドライバ８０に入力し、ドライバ８０の出力により制御弁室表示灯６６を点灯駆動する。
【００６７】
このため防護区画に放水シンボル６０を照明表示しているが、弁室シンボル６２を表示していない状態で、担当者が制御弁室表示スイッチ７０をオン操作すると、放水シンボル６０に対応した弁室シンボル６２を照明表示し、地図パネルの一覧地図上での制御弁室の所在の確認を可能とする。
【００６８】
なお、図６の制御モード１の機能構成は、コンピュータによるプログラム制御でも同様に実現できる。
【００６９】
（制御モード２）
制御部５０による制御モード２の制御は、防護区画に設けた火災感知器３６からの火災信号を受信していないことを条件に、流水検知装置２４からの流水検知信号を受信してから所定時間を経過した場合、制御弁室表示灯６６を点灯駆動して一覧地図の中の放水した防護区画Ａｉに対応した制御弁室Ｂｉに弁室シンボル６２を表示させる制御を行う。
【００７０】
図７は図５の地図表示装置に設けた制御部５０による制御モード２の制御を実現するための機能構成の一例を１つの防護区画の制御について論理回路により示したブロック図である。
【００７１】
図７に示すように、制御部５０は、ドライバ７２，８０、遅延部７４、アンド回路７６、及びオア回路７８を設け、この点は図５の制御モード１と同じであるが、更に、インバータ回路８２とアンド回路８４を設けている。
【００７２】
流水検知器４２で流水を検知した場合にＨレベルとなる流水検知信号Ｅ１は、ドライバ７２に入力し、ドライバ７２の出力により放水区画表示灯６５を点灯駆動する。
【００７３】
また、Ｈレベルとなる流水検知信号Ｅ１は遅延部７４に入力し、所定の遅延時間を経過した後に出力してアンド回路８４に入力している。またアンド回路８４には、火災信号Ｅ２をインバータ回路８２で反転して入力している。火災感知器による火災検出が行われていない場合、火災信号Ｅ２はＬレベルにあり、インバータ回路８２で反転してＨレベルとなり、アンド回路８４を許容状態としている。
【００７４】
このため火災感知器による火災検知が行われていない火災信号がＬレベルの状態で、スプリンクラーヘッドからの放水によりＨレベルとなる流水検知信号Ｅ２が入力すると、遅延部７４の遅延時間で決まる所定時間を経過した後に、遅延部７４のＨレベル出力がアンド回路８４及びオア回路７８を介してドライバ８０に入力し、ドライバ８０の出力により制御弁室表示灯６６を点灯駆動する。
【００７５】
このため火災信号を受信している場合は放水を停止する必要がないことから、制御弁２５の閉止操作により放水を停止する制御弁室を示す弁室シンボル６２の表示は行わず、消火により火災信号が受信されなくなって放水停止が必要となった段階で、制御弁室を示す弁室シンボル表示６２を表示する制御を可能とする。
【００７６】
なお、弁室表示スイッチ７０のオン操作による弁室シンボル６２の表示制御は、図６の制御モード１の場合と同様であり、防護区画に放水シンボル６０を照明表示しているが、弁室シンボル６２を表示していない状態で、担当者が制御弁室表示スイッチ７０をオン操作すると、放水シンボル６０に対応した弁室シンボル６２を照明表示し、地図パネルの一覧地図上での制御弁室の所在の確認を可能とする。
【００７７】
なお、図７の制御モード２の機能構成は、コンピュータによるプログラム制御でも同様に実現できる。
【００７８】
（液晶表示パネルを用いた地図表示装置）
図８は液晶表示パネルを用いた地図表示装置の外観を示した説明図である。図８に示すように、地図表示装置４０は、その前面に大型の液晶表示パネル１００を設け、そこに図２の場合と同様に、警戒区域の一覧地図を液晶駆動により表示している。
【００７９】
液晶パネル１００の一覧地図は、１階から３階までの各階に分けてフロア平面図であり、フロア平面図は流水検知装置に対応した防護区画Ａ１〜Ａ６及びそれぞれに対応して設けた制御弁室Ｂ１〜Ｂ６を区分けして表示しており、地図表示装置４０の制御部に設けたメモリに、一覧地図の表示データを予め記憶しておくことで読み出し表示する。
【００８０】
また液晶表示パネル１００は、３階の防護区画Ａ１で火災が発生して放水した場合の表示を例にとっており、一覧地図中の防護区画Ａ１の領域を所定の指定色例えば赤色に表示すると共にその中に「火災」の文字を入れた放水シンボル６０を表示し、また放水している防護区画Ａ１に対応した制御弁室Ｂ１を所定の指定色例えば青に表示すると共にその中に図４に示したと同じ弁室シンボル６２を表示し、更に、放水シンボル６０と弁室シンボル６２を結ぶ連携ライン６４も表示し、防護区画Ａ１と制御弁室Ｂ１の連携関係を示している。
【００８１】
この液晶表示パネル１００を用いた地図表示装置４０による制御部の制御機能は、図５乃至図７に示したと同様であり、一覧地図及びシンボルの表示が表示データに基づく液晶表示となる点で相違している。
【００８２】
このように液晶表示パネル１００を用いた地図表示装置４０によれば、防護区画と制御弁室の区分け表示を含む表示データを準備することで、一覧地図の中に放水した防護区画とこれに対応した制御弁室を示すシンボル表示を行うことができ、図２の地図パネルを使用した場合に比べ構造が簡単であり、また、一覧地図やシンボル表示を柔軟に行うことができ、例えば放水を行っている３階平面図を拡大表示するといった表示が可能となる。
【００８３】
［２次圧減圧検出による制御弁室の表示］
（地図表示装置の概要）
図９はヘッド配管の減圧を検出して放水を開始した防護区画と制御弁室をシンボル表示するスプリンクラー消火設備の概略を示した説明図、図１０は図９に設けた地図表示装置の機能構成をスプリンクラー制御盤と共に示したブロック図、図１１は図１０の地図表示装置に設けた制御部の機能構成の一例を示したブロック図、及び図１２は図１０の地図表示装置に設けた制御部の機能構成の他の例を示したブロック図である。
【００８４】
図９に示すスプリンクラー消火設備にあっては、流水検知装置２４に、閉鎖型スプリンクラーヘッド２６からの放水による２次側圧力が所定値以下に低下してことを検出して減圧検出信号を出力する減圧検出器４４を設けており、減圧検出器４４からの減圧検出信号をスプリンクラー制御盤３４を介して地図表示装置４０に送信している。それ以外の構成は図１のスプリンクラー消火設備と同じになることから、同一符号を付してその説明は省略する。
【００８５】
地図表示装置４０は図１０に示す機能構成を備えており、流水検知装置２４に設けた減圧検出器４４からの減圧検出信号をスプリンクラー制御盤３４を介して地図表示装置４０の区画受信部５２で受信して制御部５０に入力している。また、警戒区域の一覧地図は図２の場合と同様、地図パネル４８を使用している。
【００８６】
ここで、制御部５０による弁室シンボル６２の表示制御には、次の制御モード１と制御モード２がある。
【００８７】
（制御モード１）
図１０の制御部５０による制御モード１の制御は、減圧検出器４４からの減圧検出信号を受信した場合、制御弁室表示灯６６を点灯駆動して一覧地図の中の放水した防護区画Ａｉに対応した制御弁室Ｂｉに弁室シンボル６２を表示させる制御を行う。
【００８８】
図１１は図１０の地図表示装置に設けた制御部５０による制御モード１の制御を実現するための機能構成の一例を１つの防護区画の制御について論理回路により示したブロック図である。
【００８９】
図１１に示すように、制御部５０は、ドライバ７２，８０、アンド回路７６、及びオア回路７８を設けている。流水検知器４２からのＨレベルとなる流水検知信号Ｅ１は、ドライバ７２に入力し、ドライバ７２の出力により放水区画表示灯６５を点灯駆動する。
【００９０】
一方、減圧検出器４４からのＨレベルとなる減圧検出信号Ｅ３はオア回路７８を介してドライバ８０に入力し、ドライバ８０の出力により制御弁室表示灯６６を点灯駆動する。
【００９１】
このため閉鎖型スプリンクラーヘッドの作動による放水で消火を開始した場合は、まず流水検知器４２がヘッド放水に伴う流水を検知して流水検知信号Ｅ１を出力することで、一覧地図の中の対応する防護区画に放水シンボル６０を表示し、続いて、流水検知装置２４の２次側配管の圧力低下を減圧検出信号Ｅ３を出力することで、放水した防護地区に対応する制御弁室を示す弁室シンボル６２を表示してその場所を示すことを可能とする。
【００９２】
また制御部５０は、流水検知信号Ｅ１と制御弁室表示スイッチ７０のスイッチ信号Ｅｓをアンド回路７６に入力しており、Ｈレベルとなる流水検知信号Ｅ１が入力している状態で制御弁室表示スイッチ７０をオン操作してスイッチ信号ＥｓがＨレベルになると、アンド回路７６の出力がＨレベルとなってオア回路７８を介してドライバ８０に入力し、ドライバ８０の出力により制御弁室表示灯６６を点灯駆動する。この点は図６と同じである。
【００９３】
（制御モード２）
図１０の制御部５０による制御モード２の制御は、防護区画に設けた火災感知器３６からの火災信号を受信していないことを条件に、減圧検出器４４からの減圧検出信号を受信した場合、制御弁室表示灯６６を点灯駆動して一覧地図の中の放水した防護区画Ａｉに対応した制御弁室Ｂｉに弁室シンボル６２を表示させる制御を行う。
【００９４】
図１２は図１０の地図表示装置に設けた制御部５０による制御モード２の制御を実現するための機能構成の一例を１つの防護区画の制御について論理回路により示したブロック図である。
【００９５】
図１２に示すように、制御部５０は、ドライバ７２，８０、アンド回路７６、及びオア回路７８を設け、この点は図１１の制御モード１と同じであるが、更に、インバータ回路８２とアンド回路８４を設けている。
【００９６】
一方、減圧検出器４２からのＨレベルとなる減圧検出信号Ｅ３はアンド回路８４に入力している。またアンド回路８４には、火災信号Ｅ２をインバータ回路８２で反転して入力している。火災感知器による火災検出が行われていない場合、火災信号Ｅ２はＬレベルにあり、インバータ回路８２で反転してＨレベルとなり、アンド回路８４を許容状態としている。
【００９７】
このため火災感知器による火災検知が行われていない火災信号がＬレベルの状態で、スプリンクラーヘッドからの放水による２次側圧力の低下による減圧を検出してＨレベルとなる減圧検出信号Ｅ３が入力すると、アンド回路８４及びオア回路７８を介してドライバ８０に入力し、ドライバ８０の出力により制御弁室表示灯６６を点灯駆動する。
【００９８】
なお、制御弁室表示スイッチ７０のオン操作による弁室シンボル６２の表示制御は、図１１の制御モード１の場合と同様になる。
【００９９】
また、図９及び図１０に示した地図表示装置４０として、図９に示したように、液晶表示パネル１００を使用しても良い。
【０１００】
また、図１１の制御モード１及び図１２の制御モード２の機能構成は、コンピュータによるプログラム制御でも同様に実現できる。
【０１０１】
［セキュリティーシステムと連携］
図１３はセキュリティーシステムと連携する地図表示盤の機能構成を示したブロック図である。
【０１０２】
図１３に示すように、地図表示装置４０は、制御部５０、区画受信部５２、地図パネルの防護区画Ａ１〜Ａｎ毎に設けた放水区画表示灯６５、地図パネルの制御弁室Ｂ１〜Ｂｎ毎に設けた制御弁室表示灯６６、弁室表示スイッチ７０を備える。
【０１０３】
制御部５０は、火災により防護区画Ａｉの閉鎖型スプリンクラーヘッドが作動して放水を開始した場合、流水検知装置２４に設けた流水検知器４２からの流水検知信号の受信を検知すると、図２の地図パネル４８の対応する防護区画Ａｉに設けた放水区画表示灯６５を点灯して放水シンボル６０を照明表示すると共に、放水した防護区画Ａｉに対応した図２の地図パネル４８の制御弁室Ｂｉに設けた制御弁室表示灯６６を点灯して弁室シンボル６２を照明表示する。
【０１０４】
また、制御弁室Ｂｉの扉を施錠している場合、制御部５０は、図４（Ｂ）に示した鍵マーク６８を配置した鍵付きの弁室シンボル６２を一覧地図の制御弁室Ｂｉに表示する。この点は図５の実施形態と同じになる。
【０１０５】
これに加え本実施形態にあっては、制御弁室の扉に、セキュリティーシステムに設けたセキュリティー制御盤１０４からの制御により開錠と施錠を行う施錠装置１０６を設けている。このセキュリティーシステムと連携するため、地図表示装置４０の制御部５０に対し移報部１０２を設け、一覧地図に鍵付きの弁室シンボル６２を表示した場合、移報部１０２からセキュリティー制御盤１０４に対象となる制御弁室の施錠装置１０６を指定した開錠指示信号を送出し、これを受けてセキュリティー制御盤１０４が指定した制御弁室の施錠装置１０６を開錠制御する。
【０１０６】
このため施錠している制御弁室であっても、セキュリティーシステムとの連携により自動的に対象となる制御弁室の扉が開錠され、鍵を管理したり鍵を持参したりすることなく、制御弁室に入って制御弁を閉止操作することを可能とする。
【０１０７】
なお、セキュリティーシステムとの連携は、図１０の実施形態に示した地図表示装置についても、同様にして連携できる。
【０１０８】
［本発明の変形例］
（泡消火設備）
上記の実施形態はスプリンクラー消火設備を例にとるものであったが、防護区画に設置した泡ヘッドに泡消火剤を供給して放水する泡消火設備についても、制御弁室に制御弁と流水検知装置を設け、流水検知装置の２次配管に一斉開放弁を介して泡ヘッドを接続すると共に一斉開放弁からの感知配管に感知ヘッドを設けていることから、スプリンクラー消火設備の場合と同様に、泡ヘッドからの放水を検知した場合に、地図表示装置の一覧地図の中の放水した防護区画に放水シンボルを表示させると共に放水した防護区画に対応した一覧地図の中の制御弁室に弁室シンボルを表示させるようにすれば良い。
【０１０９】
（予作動スプリンクラー消火設備）
上記の実施形態はスプリンクラー消火設備を例にとっているが、これ以外に、火災感知器による火災検出と減圧検出器による減圧検出の両方を判別した場合又は火災検出を判別した場合に、流水検知装置を開放制御してスプリンクラーヘッドから加圧消火用水を散水させる予作動式スプリンクラー消火設備についても、同様に適用できる。
【０１１０】
（その他）
また、本発明はその目的と利点を損なうことのない適宜の変形を含み、更に上記の実施形態に示した数値による限定は受けない。
【符号の説明】
【０１１１】
１０：消火ポンプ
１４：ポンプ制御版
２４：流水検知装置
３４：スプリンクラー制御盤
３６：火災感知器
４０：地図表示装置
４２：流水検知器
４４：減圧検出器
４８：地図パネル
５０：制御部
６０：放水シンボル
６２：弁室シンボル
６４：連携ライン
６５：放水区画表示灯
６６：制御弁室表示灯
６８：鍵マーク
７０：弁室表示スイッチ
１００：液晶表示パネル
１０４：セキュリティー制御盤
１０６：施錠装置
Ａ１〜Ａ６，Ａｉ：防護区画
Ｂ１〜Ｂ６，Ｂｉ：制御弁室
【図１】
2015167600.tif 000003
【図２】
2015167600.tif 000004
【図３】
2015167600.tif 000005
【図４】
2015167600.tif 000006
【図５】
2015167600.tif 000007
【図６】
2015167600.tif 000008
【図７】
2015167600.tif 000009
【図８】
2015167600.tif 000010
【図９】
2015167600.tif 000011
【図１０】
2015167600.tif 000012
【図１１】
2015167600.tif 000013
【図１２】
2015167600.tif 000014
【図１３】
2015167600.tif 000015